(57)【要約】【課題】  ユーザーが、撮影アスペクト比に対応した撮影範囲を確実に確認することの可能な撮像装置、及び、この撮像装置に用いられる撮影アスペクト比確認方法を提供する。【解決手段】  ステップＳ１０で、ＬＣＤ３８がオフ状態かどうかを判断する。ＬＣＤ３８がオフ状態である場合には、ステップＳ１２でＬＣＤ３８をオンする指示を出力し、ステップＳ１４でＬＣＤ３８へ撮影アスペクト比に対応した撮影範囲のスルー画像表示を行なって本処理を終了する。一方、ステップＳ１０での判断が否定された場合、すなわち、ＬＣＤ３８がオン状態である場合には、ＬＣＤ３８には、すでに撮影アスペクト比に対応した撮影範囲のスルー画像表示が行なわれているため、そのまま本処理を終了する。【選択図】  図４
2005354153.tif 000002
【特許請求の範囲】
【請求項１】
複数パターンの撮影アスペクト比での撮影を可能とされた撮像装置であって、
撮影画像を表示可能とされると共に、撮影画像の表示のオンとオフとを切替え可能とされたディスプレイと、
撮影アスペクト比を切替える撮影アスペクト比切替え手段と、
前記撮影アスペクト比切替え手段により前記ディスプレイのオフ時に撮影アスペクト比が切替えられた場合には、前記ディスプレイをオンすると共に切替えられた撮影アスペクト比で前記ディスプレイへ撮影画像を表示する撮影アスペクト比表示手段と、
を備えた撮像装置。
【請求項２】
複数パターンの撮影アスペクト比での撮影を可能とされた撮像装置に用いられる撮影アスペクト比確認方法であって、
ディスプレイへの撮影画像の表示がオフとされている時に撮影アスペクト比が切替えられた場合には、前記ディスプレイへの撮影画像の表示をオンすると共に、前記ディスプレイへ切替えられた撮影アスペクト比で撮影画像を表示する、撮影アスペクト比確認方法。
【発明の詳細な説明】
【技術分野】
【０００１】
本発明は、撮像装置に係り、特に、撮影時の撮影アスペクト比を切替え可能な撮像装置、及び、この撮像装置に用いられる撮影アスペクト比確認方法に関する。
【背景技術】
【０００２】
従来の撮像装置では、通常、ＣＣＤ、ＣＭＯＳイメージ・センサ等の撮像素子による撮像画像（被写体像）のアスペクト比は４：３とされている。一方、４：３以外のアスペクト比、例えば、所謂パノラマ撮影の場合のアスペクト比や、ワイドサイズの撮影アスペクト比１６：９、での撮影も行なわれる傾向にある。そこで、通常の撮影アスペクト比４：３とそれ以外の撮影アスペクト比の双方での撮影が可能とされた撮像装置も提案されている（例えば、特許文献１参照）。
【０００３】
ところで、撮影アスペクト比が異なれば、撮影範囲も異なる。撮影画像をスルー画像表示（撮影画像の所定フレームレートでの動画像表示）することの可能なディスプレイを備えた撮像装置では、撮影アスペクト比が切替えられれば、ディスプレイへ表示されるスルー画像のパターンも切替えられたアスペクト比に応じて切替えられる。したがって、ディスプレイがオン状態の時には、スルー画像を見ることにより、現在の撮影アスペクト比に対応した撮影範囲を確認することができる。しかしながら、ディスプレイがオフ状態のときには、ディスプレイ上で撮影アスペクト比に対応した撮影範囲を確認することはできない。
【０００４】
なお、光学ファインダとして、撮影アスペクト比の変化に対応させた画枠変更機能が設けられ、撮影アスペクト比の切替えに対応した撮影範囲を確認することのできるものも提案されているが（特許文献１参照）、撮影アスペクト比の変化に対応した画枠変更機能が設けられていない光学ファインダの場合には、撮影アスペクト比を確認することができない。
【特許文献１】特開平７−４３８２９号公報
【発明の開示】
【発明が解決しようとする課題】
【０００５】
本発明は、上記事実を考慮して成されたものであり、ユーザーが、撮影アスペクト比に対応した撮影範囲を確実に確認することの可能な撮像装置、及び、この撮像装置に用いられる撮影アスペクト比確認方法を提供することを目的とする。
【課題を解決するための手段】
【０００６】
上記課題を解決するために、請求項１に記載の撮像装置は、複数パターンの撮影アスペクト比での撮影を可能とされた撮像装置であって、撮影画像を表示可能とされると共に、撮影画像の表示のオンとオフとを切替え可能とされたディスプレイと、撮影アスペクト比を切替える撮影アスペクト比切替え手段と、前記撮影アスペクト比切替え手段により前記ディスプレイのオフ時に撮影アスペクト比が切替えられた場合には、前記ディスプレイをオンすると共に切替えられた撮影アスペクト比で前記ディスプレイへ撮影画像を表示する撮影アスペクト比表示手段と、を含んで構成されている。
【０００７】
また、請求項２に記載の撮影アスペクト比確認方法は、複数パターンの撮影アスペクト比での撮影を可能とされた撮像装置に用いられる撮影アスペクト比確認方法であって、  ディスプレイへの撮影画像の表示がオフとされている時に撮影アスペクト比が切替えられた場合には、前記ディスプレイへの撮影画像の表示をオンすると共に、前記ディスプレイへ切替えられた撮影アスペクト比で撮影画像を表示するものである。
【０００８】
請求項１及び請求項２の発明は、複数パターンの撮影アスペクト比での撮影を可能とされた撮像装置に適用されるものである。撮影アスペクト比が変わると、撮影範囲、すなわち、取り込まれる画像範囲も変化する。そこで、請求項１及び請求項２の発明では、ディスプレイへの撮影画像の表示がオフとされている時に撮影アスペクト比が切替えられた場合には、ディスプレイへの撮影画像の表示をオンすると共に、ディスプレイへ切替えられた撮影アスペクト比で撮影画像を表示する。
【０００９】
この構成によれば、撮影アスペクト比が変更された際に、ディスプレイがオフされていても、ユーザーに対して撮影アスペクト比に対応した撮影範囲を確実に認識させることができる。また、光学ファインダで撮影アスペクト比に対応した撮影範囲の確認ができるかどうかにかかわらず、ディスプレイ上で確実に撮影アスペクト比に対応した撮影範囲の確認を行なうことができる。
【発明の効果】
【００１０】
以上説明したように、本発明の撮像装置、及び撮影アスペクト比確認方法によれば、ユーザーは、撮影アスペクト比に対応した撮影範囲を確実に確認することができる。
【発明を実施するための最良の形態】
【００１１】
以下、図面を参照して、本発明の実施の形態について詳細に説明する。なお、ここでは、本発明をデジタルカメラに適用した場合について説明する。
【００１２】
まず、図１を参照して、本実施の形態に係るデジタルカメラ１０の外観上の構成を説明する。
【００１３】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッター）５６Ａと、電源スイッチ５６Ｂと、が備えられている。
【００１４】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００１５】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００１６】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃと、撮影モード時にはＬＣＤ３８への被写体像の表示のオン／オフの切替えを、再生モード時には指示選択のＯＫを、各々入力するためのＤＩＳＰ／ＯＫキー５６Ｆが備えられている。
【００１７】
なお、本実施の形態に係るデジタルカメラ１０では、ＬＣＤ３８として、表示領域のアスペクト比が１６：９とされた所謂ワイドサイズのものが適用されている。
【００１８】
また、デジタルカメラ１０の背面には、十字カーソルボタン５６Ｄと、撮像する被写体像の撮影アスペクト比を１６：９及び４：３の何れか一方に選択的に切り替える際に押圧操作されるワイド切替スイッチ５６Ｅと、が更に備えられている。
【００１９】
なお、十字カーソルボタン５６Ｄは、ＬＣＤ３８の表示領域における上・下・左・右の４方向の移動方向等を示す４つの矢印キーを含んで構成されている。また、ワイド切替スイッチ５６Ｅは、押圧操作する度に、その時点で設定されている撮影アスペクト比を他方のアスペクト比に切り替えるものとされている。
【００２０】
次に、図２を参照して、本実施の形態に係るデジタルカメラ１０の電気系の主要構成を説明する。
【００２１】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００２２】
一方、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００２３】
なお、デジタル信号処理部３０は、所定容量のラインバッファを内蔵し、入力されたデジタルデータを後述するメモリ４８の所定領域に直接記憶させる制御も行う。
【００２４】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００２５】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００２６】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００２７】
なお、本実施の形態のデジタルカメラ１０では、メモリ４８としてＶＲＡＭ（Video RAM）が用いられ、メモリカード５２としてスマートメディア（Smart Media(登録商標)）が用いられている。
【００２８】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００２９】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３０】
更に、デジタルカメラ１０にはモータ駆動部３４が備えられており、光学ユニット２２に備えられた図示しない焦点調整モータもＣＰＵ４０によりモータ駆動部３４を介して制御される。
【００３１】
更に、前述のレリーズボタン５６Ａ、電源スイッチ５６Ｂ、モード切替スイッチ５６Ｃ、十字カーソルボタン５６Ｄ、ワイド切替スイッチ５６Ｅ、及びＤＩＳＰ／ＯＫキー５６Ｆ（同図では、「操作部５６」と総称。）はＣＰＵ４０に接続されており、ＣＰＵ４０は、これらの操作部５６に対する操作状態を常時把握できる。
【００３２】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００３３】
次に、本実施の形態に係るデジタルカメラ１０の撮影時における動作について簡単に説明する。
【００３４】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００３５】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００３６】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【００３７】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００３８】
なお、撮影モード時に、ＬＣＤ３８がオンされていれば、ＬＣＤ３８にＣＣＤ２４による連続的な撮像によって得られた動画像（スルー画像）を表示して、ＬＣＤ３８をファインダとして使用することができる。ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。このとき表示されるスルー画像は、切替えられた撮影アスペクト比に対応したものとされている。
【００３９】
ここで、デジタルカメラ１０では、図３に示すように、ＬＣＤ３８として表示エリアのアスペクト比が１６：９のものを使用しており、ユーザにより撮影アスペクト比として１６：９が設定された場合には、図３（Ａ）に示すように、ＬＣＤ３８の全面にスルー画像が表示され、撮影アスペクト比として４：３が設定された場合には、図３（Ｂ）に示すように、ＬＣＤ３８の右端部側と左端部側とが均等に削除されて画像が表示されるように構成されている。
【００４０】
なお、撮影モード時に、ＬＣＤ３８がオフされていれば、ユーザーはファインダ２０を覗いて撮影対象を確認することができる。
【００４１】
次に、撮影アスペクト比の切替え時の動作について説明する。
【００４２】
デジタルカメラ１０では、前述したように、ワイド切替スイッチ５６Ｅを押圧操作することによって、撮影アスペクト比を１６：９及び４：３の何れか一方に選択的に設定することができる。撮影モード時にユーザーによりワイド切替スイッチ５６Ｅが押圧されて撮影アスペクト比が切替えられると、ＣＰＵ４０では、図４に示す撮影アスペクト比切替え確認処理が実行される。
【００４３】
ステップＳ１０で、ＬＣＤ３８がオフ状態かどうかを判断する。ＬＣＤ３８がオフ状態である場合には、ステップＳ１２でＬＣＤ３８をオンする指示を出力し、ステップＳ１４でＬＣＤ３８へ撮影アスペクト比に対応した撮影範囲のスルー画像表示を行なって本処理を終了する。一方、ステップＳ１０での判断が否定された場合、すなわち、ＬＣＤ３８がオン状態である場合には、ＬＣＤ３８には、すでに撮影アスペクト比に対応した撮影範囲のスルー画像表示が行なわれているため、そのまま本処理を終了する。
【００４４】
本実施形態によれば、撮影アスペクト比が切替えられた際にＬＣＤ３８がオフ状態である場合には、ＬＣＤ３８をオンして撮影アスペクト比に対応した撮影範囲のスルー画像表示を行うので、ユーザーに対して、確実に撮影アスペクト比に対応した撮影範囲を確認させることができる。
【００４５】
なお、本実施の形態では、撮影アスペクト比が１６：９と４：３で切替え可能なものを例にして説明したが、本発明はこれに限定されるものではなく、さらにパノラマサイズでの撮影アスペクト比のものや、その他のあらゆる撮影アスペクト比のものに適用することができる。
【００４６】
また、本実施の形態では、撮影装置としてデジタルカメラを例にして説明したが、本発明はこれに限定されるものではなく、例えば、ＰＤＡ、携帯電話機等、撮影機能を有するあらゆる情報処理装置に適用することができる。
【図面の簡単な説明】
【００４７】
【図１】実施の形態に係るデジタルカメラの外観を示す外観図である。
【図２】実施の形態に係るデジタルカメラの電気系の主要構成を示すブロック図である。
【図３】実施の形態に係るＬＣＤ画面のアスペクト比を示すと共に、他のアスペクト比の被写体像の表示の説明に供する概略図である。
【図４】実施の形態に係る撮影アスペクト比確認処理の流れを示すフローチャートである。
【符号の説明】
【００４８】
１０  デジタルカメラ
３８  ＬＣＤ（ディスプレイ）
４０  ＣＰＵ
５６Ｃ  モード切替スイッチ
５６Ｅ  ワイド切替スイッチ
５６Ｆ  ＤＩＳＰ／ＯＫキー
【図１】
2005354153.tif 000003
【図２】
2005354153.tif 000004
【図３】
2005354153.tif 000005
【図４】
2005354153.tif 000006